(57)【要約】  本願の実施例は、信号伝送方法及び装置、端末、ネットワーク装置を提供する。前記方法は、端末が第１伝送リソースを決定し、前記第１伝送リソースで第１信号を受信することであって、前記第１信号は、上り伝送の停止を指示するためのものである、ことを含む。
2022502883.tif 000002
【特許請求の範囲】
【請求項１】
信号伝送方法であって、
端末が、第１伝送リソースを決定し、前記第１伝送リソースで第１信号を受信することであって、前記第１信号は、上り伝送の停止を指示するためのものである、ことを含む、信号伝送方法。
【請求項２】
前記方法は、
前記端末が、前記第１伝送リソースで前記第１信号を受信する前に、第２信号を受信することをさらに含み、前記第２信号は、前記第１伝送リソースを指示するためのものであることを特徴とする
請求項１に記載の方法。
【請求項３】
前記第１伝送リソースは、時間領域リソース、周波数領域リソース、符号領域リソースのうちの少なくとも１つを含むことを特徴とする
請求項２に記載の方法。
【請求項４】
前記第１伝送リソースは、時間領域で周期特性を有することを特徴とする
請求項２又は３に記載の方法。
【請求項５】
前記第２信号は、上位層シグナリング、物理層シグナリング、媒体アクセス制御（ＭＡＣ）シグナリングのうちの少なくとも１つを含むことを特徴とする
請求項２から４のいずれか一項に記載の方法。
【請求項６】
前記方法は、
前記端末が、前記第１伝送リソースで前記第１信号を受信する前に、第３信号を受信することを含み、前記第３信号は、前記第１信号の伝送パラメータを指示するためのものであることを特徴とする
請求項１から５のいずれか一項に記載の方法。
【請求項７】
前記第１信号の伝送パラメータは、伝送フォーマット、シーケンスリソース、符号化方式のうちの少なくとも１つを含むことを特徴とする
請求項６に記載の方法。
【請求項８】
前記伝送フォーマットは、シーケンス、変調シンボル、変調後のシーケンスのうちの少なくとも１つを含むことを特徴とする
請求項７に記載の方法。
【請求項９】
前記シーケンスリソースは、ルートシーケンス生成パラメータ、シーケンス循環シフトのうちの少なくとも１つを含むことを特徴とする
請求項７又は８に記載の方法。
【請求項１０】
前記符号化方式は、ポーラコードを利用することを特徴とする
請求項７から９のいずれか一項に記載の方法。
【請求項１１】
前記第１信号の伝送パラメータ内の第１部分パラメータは、ネットワークにより構成されたものであり、前記第１信号の伝送パラメータにおける第２部分パラメータは、プロトコルで定められたものであり、又は、
前記第１信号の伝送パラメータ内の全てのパラメータは、ネットワークにより構成されたものであり、又は、
前記第１信号の伝送パラメータ内の全てのパラメータは、プロトコルで定められたものであることを特徴とする
請求項６から１０のいずれか一項に記載の方法。
【請求項１２】
前記第３信号は、上位層シグナリング、物理層シグナリング、ＭＡＣシグナリングのうちの少なくとも１つを含むことを特徴とする
請求項６から１１のいずれか一項に記載の方法。
【請求項１３】
前記方法は、
前記端末が、前記第１伝送リソースで前記第１信号を受信する前に、第４信号を受信することをさらに含み、前記第４信号は、前記第１信号の時間領域リソースと上り伝送停止対象である時間領域リソースとの時系列関係を指示するためのものであることを特徴とする
請求項１から１２のいずれか一項に記載の方法。
【請求項１４】
前記第４信号は、上位層シグナリング、物理層シグナリング、ＭＡＣシグナリングのうちの少なくとも１つを含むことを特徴とする
請求項１３に記載の方法。
【請求項１５】
前記方法は、
前記端末が、前記第１伝送リソースで前記第１信号を受信する前に、第５信号を受信することをさらに含み、前記第５信号は、上り伝送停止対象である時間周波数リソース、又は上り伝送停止対象である時間周波数リソース集合を指示するためのものであることを特徴とする
請求項１から１４のいずれか一項に記載の方法。
【請求項１６】
前記第５信号は、上位層シグナリング、物理層シグナリング、ＭＡＣシグナリングのうちの少なくとも１つを含むことを特徴とする
請求項１５に記載の方法。
【請求項１７】
上り伝送停止対象である時間周波数リソースは、
特定のシンボルのシステム帯域幅全体、特定のシンボルの帯域幅パート（ＢＷＰ）全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つであることを特徴とする
請求項１３から１６のいずれか一項に記載の方法。
【請求項１８】
前記第１伝送リソースは、前記第１信号以外の下り信号の伝送にも用いられることを特徴とする
請求項１から１７のいずれか一項に記載の方法。
【請求項１９】
前記端末が前記第１伝送リソースで前記第１信号を受信する場合、
上り伝送停止対象であるリソースにおいて伝送されるデータがあるという条件、
前記端末が前記第１信号を検出する能力を有するという条件、
前記端末が前記第１信号を検出する能力を報告したという条件のうちの少なくとも１つを満たす必要があることを特徴とする
請求項１から１８のいずれか一項に記載の方法。
【請求項２０】
信号伝送方法であって、
基地局が、第１伝送リソースで第１信号を送信することであって、前記第１信号は、上り伝送の停止を端末に指示するためのものである、ことを含む、信号伝送方法。
【請求項２１】
前記方法は、
前記基地局が前記第１伝送リソースで前記第１信号を送信する前に、第２信号を送信することをさらに含み、前記第２信号は、前記第１伝送リソースを指示するためのものであることを特徴とする
請求項２０に記載の方法。
【請求項２２】
前記第１伝送リソースは、時間領域リソース、周波数領域リソース、符号領域リソースのうちの少なくとも１つを含むことを特徴とする
請求項２１に記載の方法。
【請求項２３】
前記第１伝送リソースは、時間領域で周期特性を有することを特徴とする
請求項２１又は２２に記載の方法。
【請求項２４】
前記第２信号は、上位層シグナリング、物理層シグナリング、ＭＡＣシグナリングのうちの少なくとも１つを含むことを特徴とする
請求項２１から２３のいずれか一項に記載の方法。
【請求項２５】
前記方法は、
前記基地局が前記第１伝送リソースで前記第１信号を送信する前に、第３信号を送信することをさらに含み、前記第３信号は、前記第１信号の伝送パラメータを指示するためのものであることを特徴とする
請求項２０から２４のいずれか一項に記載の方法。
【請求項２６】
前記第１信号の伝送パラメータは、伝送フォーマット、シーケンスリソース、符号化方式のうちの少なくとも１つを含むことを特徴とする
請求項２５に記載の方法。
【請求項２７】
前記伝送フォーマットは、シーケンス、変調シンボル、変調後のシーケンスのうちの少なくとも１つを含むことを特徴とする
請求項２６に記載の方法。
【請求項２８】
前記シーケンスリソースは、ルートシーケンス生成パラメータ、シーケンス循環シフトのうちの少なくとも１つを含むことを特徴とする
請求項２６又は２７に記載の方法。
【請求項２９】
前記符号化方式は、ポーラコードを利用することを特徴とする
請求項２６から２８のいずれか一項に記載の方法。
【請求項３０】
前記第１信号の伝送パラメータ内の第１部分パラメータは、ネットワークにより構成されたものであり、前記第１信号の伝送パラメータにおける第２部分パラメータは、プロトコルで定められたものであり、又は、
前記第１信号の伝送パラメータ内の全てのパラメータは、ネットワークにより構成されたものであり、又は、
前記第１信号の伝送パラメータ内の全てのパラメータは、プロトコルで定められたものであることを特徴とする
請求項２５から２９のいずれか一項に記載の方法。
【請求項３１】
前記第３信号は、上位層シグナリング、物理層シグナリング、ＭＡＣシグナリングのうちの少なくとも１つを含むことを特徴とする
請求項２５から３０のいずれか一項に記載の方法。
【請求項３２】
前記方法は、
前記基地局が、前記第１伝送リソースで前記第１信号を送信する前に、第４信号を送信することをさらに含み、前記第４信号は、前記第１信号の時間領域リソースと上り伝送停止対象である時間領域リソースとの時系列関係を指示するためのものであることを特徴とする
請求項２０から３１のいずれか一項に記載の方法。
【請求項３３】
前記第４信号は、上位層シグナリング、物理層シグナリング、ＭＡＣシグナリングのうちの少なくとも１つを含むことを特徴とする
請求項３２に記載の方法。
【請求項３４】
前記方法は、
前記基地局が前記第１伝送リソースで前記第１信号を送信する前に、第５信号を送信することをさらに含み、前記第５信号は、上り伝送停止対象である時間周波数リソース、又は上り伝送停止対象である時間周波数リソース集合を指示するためのものであることを特徴とする
請求項２０から３３のいずれか一項に記載の方法。
【請求項３５】
前記第５信号は、上位層シグナリング、物理層シグナリング、ＭＡＣシグナリングのうちの少なくとも１つを含むことを特徴とする
請求項３４に記載の方法。
【請求項３６】
上り伝送停止対象である時間周波数リソースは、
特定のシンボルのシステム帯域幅全体、特定のシンボルのＢＷＰ全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つであることを特徴とする
請求項３２から３５のいずれか一項に記載の方法。
【請求項３７】
前記第１伝送リソースは、前記第１信号以外の下り信号の伝送にも用いられることを特徴とする
請求項２０から３６のいずれか一項に記載の方法。
【請求項３８】
信号伝送装置であって、
第１伝送リソースを決定するように構成される決定ユニットと、
前記第１伝送リソースで第１信号を受信するように構成される受信ユニットであって、前記第１信号は、上り伝送の停止を指示するためのものである、受信ユニットと、を備える、信号伝送装置。
【請求項３９】
前記受信ユニットは、前記第１伝送リソースで前記第１信号を受信する前に、第２信号を受信し、前記第２信号は、前記第１伝送リソースを指示するためのものであることを特徴とする
請求項３８に記載の装置。
【請求項４０】
前記第１伝送リソースは、時間領域リソース、周波数領域リソース、符号領域リソースのうちの少なくとも１つを含むことを特徴とする
請求項３９に記載の装置。
【請求項４１】
前記第１伝送リソースは、時間領域で周期特性を有することを特徴とする
請求項３９又は４０に記載の装置。
【請求項４２】
前記第２信号は、上位層シグナリング、物理層シグナリング、ＭＡＣシグナリングのうちの少なくとも１つを含むことを特徴とする
請求項３９から４１のいずれか一項に記載の装置。
【請求項４３】
前記受信ユニットは、前記第１伝送リソースで前記第１信号を受信する前に、第３信号を受信し、前記第３信号は、前記第１信号の伝送パラメータを指示するためのものであることを特徴とする
請求項３８から４２のいずれか一項に記載の装置。
【請求項４４】
前記第１信号の伝送パラメータは、伝送フォーマット、シーケンスリソース、符号化方式のうちの少なくとも１つを含むことを特徴とする
請求項４３に記載の装置。
【請求項４５】
前記伝送フォーマットは、シーケンス、変調シンボル、変調後のシーケンスのうちの少なくとも１つを含むことを特徴とする
請求項４４に記載の装置。
【請求項４６】
前記シーケンスリソースは、ルートシーケンス生成パラメータ、シーケンス循環シフトのうちの少なくとも１つを含むことを特徴とする
請求項４４又は４５に記載の装置。
【請求項４７】
前記符号化方式は、ポーラコードを利用することを特徴とする
請求項４４から４６のいずれか一項に記載の装置。
【請求項４８】
前記第１信号の伝送パラメータ内の第１部分パラメータは、ネットワークにより構成されたものであり、前記第１信号の伝送パラメータにおける第２部分パラメータは、プロトコルで定められたものであり、又は、
前記第１信号の伝送パラメータ内の全てのパラメータは、ネットワークにより構成されたものであり、又は、
前記第１信号の伝送パラメータ内の全てのパラメータは、プロトコルで定められたものであることを特徴とする
請求項４３から４７のいずれか一項に記載の装置。
【請求項４９】
前記第３信号は、上位層シグナリング、物理層シグナリング、ＭＡＣシグナリングのうちの少なくとも１つを含むことを特徴とする
請求項４８に記載の装置。
【請求項５０】
前記受信ユニットは、前記第１伝送リソースで前記第１信号を受信する前に、第４信号を受信し、前記第４信号は、前記第１信号の時間領域リソースと上り伝送停止対象である時間領域リソースとの時系列関係を指示するためのものであることを特徴とする
請求項３８から４９のいずれか一項に記載の装置。
【請求項５１】
前記第４信号は、上位層シグナリング、物理層シグナリング、ＭＡＣシグナリングのうちの少なくとも１つを含むことを特徴とする
請求項５０に記載の装置。
【請求項５２】
前記受信ユニットは、前記第１伝送リソースで前記第１信号を受信する前に、第５信号を受信し、前記第５信号は、上り伝送停止対象である時間周波数リソース、又は上り伝送停止対象である時間周波数リソース集合を指示するためのものであることを特徴とする
請求項３８から５１のいずれか一項に記載の装置。
【請求項５３】
前記第５信号は、上位層シグナリング、物理層シグナリング、ＭＡＣシグナリングのうちの少なくとも１つを含むことを特徴とする
請求項５２に記載の装置。
【請求項５４】
上り伝送停止対象である時間周波数リソースは、
特定のシンボルのシステム帯域幅全体、特定のシンボルのＢＷＰ全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つであることを特徴とする
請求項５０から５３のいずれか一項に記載の装置。
【請求項５５】
前記第１伝送リソースは、前記第１信号以外の下り信号の伝送にも用いられることを特徴とする
請求項３８から５４のいずれか一項に記載の装置。
【請求項５６】
前記受信ユニットが前記第１伝送リソースで前記第１信号を受信する場合、
上り伝送停止対象であるリソースにおいて伝送されるデータがあるという条件、
前記端末が前記第１信号を検出する能力を有するという条件、
前記端末が前記第１信号を検出する能力を報告したという条件のうちの少なくとも１つを満たす必要があることを特徴とする
請求項３８から５５のいずれか一項に記載の装置。
【請求項５７】
信号伝送装置であって、
第１伝送リソースで第１信号を送信するように構成される送信ユニットであって、前記第１信号は、上り伝送の停止を端末に指示するためのものである、送信ユニットを備える、信号伝送装置。
【請求項５８】
前記送信ユニットは、前記第１伝送リソースで前記第１信号を送信する前に、第２信号を送信し、前記第２信号は、前記第１伝送リソースを指示するためのものであることを特徴とする
請求項５７に記載の装置。
【請求項５９】
前記第１伝送リソースは、時間領域リソース、周波数領域リソース、符号領域リソースのうちの少なくとも１つを含むことを特徴とする
請求項５８に記載の装置。
【請求項６０】
前記第１伝送リソースは、時間領域で周期特性を有することを特徴とする
請求項５８又は５９に記載の装置。
【請求項６１】
前記第２信号は、上位層シグナリング、物理層シグナリング、ＭＡＣシグナリングのうちの少なくとも１つを含むことを特徴とする
請求項５８から６０のいずれか一項に記載の装置。
【請求項６２】
前記送信ユニットは、前記第１伝送リソースで前記第１信号を送信する前に、第３信号を送信し、前記第３信号は、前記第１信号の伝送パラメータを指示するためのものであることを特徴とする
請求項５７から６１のいずれか一項に記載の装置。
【請求項６３】
前記第１信号の伝送パラメータは、伝送フォーマット、シーケンスリソース、符号化方式のうちの少なくとも１つを含むことを特徴とする
請求項６２に記載の装置。
【請求項６４】
前記伝送フォーマットは、シーケンス、変調シンボル、変調後のシーケンスのうちの少なくとも１つを含むことを特徴とする
請求項６３に記載の装置。
【請求項６５】
前記シーケンスリソースは、ルートシーケンス生成パラメータ、シーケンス循環シフトのうちの少なくとも１つを含むことを特徴とする
請求項６３又は６４に記載の装置。
【請求項６６】
前記符号化方式は、ポーラコードを利用することを特徴とする
請求項６３から６５のいずれか一項に記載の装置。
【請求項６７】
前記第１信号の伝送パラメータ内の第１部分パラメータは、ネットワークにより構成されたものであり、前記第１信号の伝送パラメータにおける第２部分パラメータは、プロトコルで定められたものであり、又は、
前記第１信号の伝送パラメータ内の全てのパラメータは、ネットワークにより構成されたものであり、又は、
前記第１信号の伝送パラメータ内の全てのパラメータは、プロトコルで定められたものであることを特徴とする
請求項６２から６６のいずれか一項に記載の装置。
【請求項６８】
前記第３信号は、上位層シグナリング、物理層シグナリング、ＭＡＣシグナリングのうちの少なくとも１つを含むことを特徴とする
請求項６２から６７のいずれか一項に記載の装置。
【請求項６９】
前記送信ユニットは、前記第１伝送リソースで前記第１信号を送信する前に、第４信号を送信し、前記第４信号は、前記第１信号の時間領域リソースと上り伝送停止対象である時間領域リソースとの時系列関係を指示するためのものであることを特徴とする
請求項５７から６８のいずれか一項に記載の装置。
【請求項７０】
前記第４信号は、上位層シグナリング、物理層シグナリング、ＭＡＣシグナリングのうちの少なくとも１つを含むことを特徴とする
請求項６９に記載の装置。
【請求項７１】
前記送信ユニットは、前記第１伝送リソースで前記第１信号を送信する前に、第５信号を送信し、前記第５信号は、上り伝送停止対象である時間周波数リソース、又は上り伝送停止対象である時間周波数リソース集合を指示するためのものであることを特徴とする
請求項５７から７０のいずれか一項に記載の装置。
【請求項７２】
前記第５信号は、上位層シグナリング、物理層シグナリング、ＭＡＣシグナリングのうちの少なくとも１つを含むことを特徴とする
請求項７１に記載の装置。
【請求項７３】
上り伝送停止対象である時間周波数リソースは、
特定のシンボルのシステム帯域幅全体、特定のシンボルのＢＷＰ全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つであることを特徴とする
請求項６９から７２のいずれか一項に記載の装置。
【請求項７４】
前記第１伝送リソースは、前記第１信号以外の下り信号の伝送にも用いられることを特徴とする
請求項５７から７３のいずれか一項に記載の装置。
【請求項７５】
端末であって、プロセッサと、メモリと、を備え、該メモリは、コンピュータプログラムを記憶するように構成され、該プロセッサは、該メモリに記憶されているコンピュータプログラムを呼び出して実行し、請求項１から１９のいずれか一項に記載の方法を実行するように構成される、端末。
【請求項７６】
ネットワーク装置であって、プロセッサと、メモリと、を備え、該メモリは、コンピュータプログラムを記憶するように構成され、該プロセッサは、該メモリに記憶されているコンピュータプログラムを呼び出して実行し、請求項２０から３７のいずれか一項に記載の方法を実行するように構成される、ネットワーク装置。
【請求項７７】
チップであって、前記チップは、メモリからコンピュータプログラムを呼び出して実行し、前記チップが搭載されている装置に請求項１から１９のいずれか一項に記載の方法を実行させるように構成されるプロセッサを備える、チップ。
【請求項７８】
チップであって、前記チップは、メモリからコンピュータプログラムを呼び出して実行し、前記チップが搭載されている装置に請求項２０から３７のいずれか一項に記載の方法を実行させるように構成されるプロセッサを備える、チップ。
【請求項７９】
コンピュータ可読記憶媒体であって、コンピュータプログラムを記憶するためのものであり、該コンピュータプログラムは、コンピュータに請求項１から１９のいずれか一項に記載の方法を実行させる、コンピュータ可読記憶媒体。
【請求項８０】
コンピュータ可読記憶媒体であって、コンピュータプログラムを記憶するためのものであり、該コンピュータプログラムは、コンピュータに請求項２０から３７のいずれか一項に記載の方法を実行させる、コンピュータ可読記憶媒体。
【請求項８１】
コンピュータプログラム製品であって、コンピュータプログラム命令を含み、該コンピュータプログラム命令は、コンピュータに請求項１から１９のいずれか一項に記載の方法を実行させる、コンピュータプログラム製品。
【請求項８２】
コンピュータプログラム製品であって、コンピュータプログラム命令を含み、該コンピュータプログラム命令は、コンピュータに請求項２０から３７のいずれか一項に記載の方法を実行させる、コンピュータプログラム製品。
【請求項８３】
コンピュータプログラムであって、前記コンピュータプログラムは、コンピュータに請求項１から１９のいずれか一項に記載の方法を実行させる、コンピュータプログラム。
【請求項８４】
コンピュータプログラムであって、前記コンピュータプログラムは、コンピュータに請求項２０から３７のいずれか一項に記載の方法を実行させる、コンピュータプログラム。
【発明の詳細な説明】
【技術分野】
【０００１】
本願の実施例は、移動通信技術分野に関し、具体的には信号伝送方法及び装置、端末、ネットワーク装置に関する。
【背景技術】
【０００２】
現在、第５世代（５Ｇ：５ｔｈ  Ｇｅｎｅｒａｔｉｏｎ）移動通信システムの新しい無線（ＮＲ：Ｎｅｗ  Ｒａｄｉｏ）に、超高信頼低遅延（ＵＲＬＬＣ：Ｕｌｔｒａ  Ｒｅｌｉａｂｌｅ  Ｌｏｗ  Ｌａｔｅｎｃｙ  Ｃｏｍｍｕｎｉｃａｔｉｏｎ）トラフィックが導入された。該トラフィックの特性は、極端な遅延内（例えば、１ｍｓ）で、超高信頼性（例えば、９９．９９９％）の伝送を実現させることである。該目的を実現させるために、下りリンクにプリエンプション（ｐｒｅｅｍｐｔｉｏｎ）メカニズムが導入された。つまり、拡張モバイルブロードバンド（ｅＭＢＢ：Ｅｎｈａｎｃｅ  Ｍｏｂｉｌｅ  Ｂｒｏａｄｂａｎｄ）トラフィック伝送過程において、図１に示すように、ＵＲＬＬＣトラフィックを組み込む。しかし、ｅＭＢＢ  ＵＥ（ｅＭＢＢトラフィックを伝送する端末）は、ＵＲＬＬＣトラフィックが組み込まれることを知らないため、ＵＲＬＬＣデータをｅＭＢＢデータとして復調する。従って、ｅＭＢＢデータの復調性能に大きな影響を与えてしまう。ＵＲＬＬＣデータによるｅＭＢＢデータへの影響を低減させるために、プリエンプション指示（ｐｒｅｅｍｐｔｉｏｎ  ｉｎｄｉｃａｔｏｒ）が導入され、プリエンプション指示は、どのリソースがＵＲＬＬＣデータによって占有されたかを端末に知らせるためのものである。プリエンプション指示は、ビットマップ（ｂｉｔｍａｐ）方式で、周波数領域リソースのプリエンプション状況を指示する。プリエンプション指示は、ｐｒｅｅｍｐｔｉｏｎよりも遅れて発生する。シグナリングオーバーヘッドを減少させるために、プリエンプション指示の送信頻度は、低くてもよい。
【０００３】
端末側の上り伝送について、端末は、ネットワーク側の伝送停止信号に基づいてｅＭＢＢデータの上り伝送を適時に停止する。このために、端末は、伝送停止信号を適時に検出する必要がある。伝送停止信号を頻繁に検知する場合、必ず端末の電力消費及び複雑さの増加を引き起こしてしまう。
【発明の概要】
【発明が解決しようとする課題】
【０００４】
本願の実施例は、信号伝送方法及び装置、端末、ネットワークを提供する。
【課題を解決するための手段】
【０００５】
本願の実施例で提供される信号伝送方法は、
端末が第１伝送リソースを決定し、前記第１伝送リソースで第１信号を受信することであって、前記第１信号は、上り伝送の停止を指示するためのものである、ことを含む。
【０００６】
本願の実施例で提供される信号伝送方法は、
基地局が第１伝送リソースで第１信号を送信することであって、前記第１信号は、上り伝送の停止を端末に指示するためのものである、ことを含む。
【０００７】
本願の実施例で提供される信号伝送装置は、
第１伝送リソースを決定するように構成される決定ユニットと、
前記第１伝送リソースで第１信号を受信するように構成される受信ユニットであって、前記第１信号は、上り伝送の停止を指示するためのものである、受信ユニットと、を備える。
【０００８】
本願の実施例で提供される信号伝送装置は、
第１伝送リソースで第１信号を送信するように構成される送信ユニットであって、前記第１信号は、上り伝送の停止を端末に指示するためのものである、送信ユニットを備える。
【０００９】
本願の実施例で提供される端末は、プロセッサと、メモリと、を備える。該メモリは、コンピュータプログラムを記憶するように構成され、該プロセッサは、該メモリに記憶されているコンピュータプログラムを呼び出して実行し、上記信号伝送方法を実行するように構成される。
【００１０】
本願の実施例で提供されるネットワーク装置は、プロセッサと、メモリと、を備える。該メモリは、コンピュータプログラムを記憶するように構成され、該プロセッサは、該メモリに記憶されているコンピュータプログラムを呼び出して実行し、上記信号伝送方法を実行するように構成される。
【００１１】
本願の実施例で提供されるチップは、上記信号伝送方法を実現させるように構成される。
【００１２】
具体的には、該チップは、メモリからコンピュータプログラムを呼び出して実行し、該チップが搭載されている装置に上記信号伝送方法を実行させるように構成されるプロセッサを備える。
【００１３】
本願の実施例で提供されるコンピュータ可読記憶媒体は、コンピュータプログラムを記憶するためのものであり、該コンピュータプログラムは、コンピュータに上記信号伝送方法を実行させる。
【００１４】
本願の実施例で提供されるコンピュータプログラム製品は、コンピュータプログラム命令を含み、該コンピュータプログラム命令は、コンピュータに上記信号伝送方法を実行させる。
【００１５】
本願の実施例で提供されるコンピュータプログラムは、コンピュータで実行される時、コンピュータに上記信号伝送方法を実行させる。
【発明の効果】
【００１６】
上記技術的解決手段によれば、端末は、決定された第１伝送リソースで、上り伝送の停止を指示するための第１信号を受信することで、端末による第１信号のブラインド検出を避け、端末による第１信号のブラインド検出により引き起こされた電力消費及び複雑さを低減させる。
【図面の簡単な説明】
【００１７】
【図１】本願の実施例による通信システムアーキテクチャを示す概略図である。
【図２】本願の実施例による信号伝送方法を示す第１フローチャートである。
【図３】本願の実施例による信号伝送方法を示す第２フローチャートである。
【図４（ａ）】本願の実施例によるシーケンスによりプリエンプションリソースを指示することを示す第１概略図である。
【図４（ｂ）】本願の実施例によるシーケンスによりプリエンプションリソースを指示することを示す第２概略図である。
【図４（ｃ）】本願の実施例によるシーケンスによりプリエンプションリソースを指示することを示す第３概略図である。
【図５（ａ）】本願の実施例による第１伝送リソースの構成を示す第１概略図である。
【図５（ｂ）】本願の実施例による第１伝送リソースの構成を示す第２概略図である。
【図６】本願の実施例による信号伝送装置の構造を示す第１概略図である。
【図７】本願の実施例による信号伝送装置の構造を示す第２概略図である。
【図８】本願の実施例による通信装置の構造を示す概略図である。
【図９】本願の実施例によるチップの構造を示す概略図である。
【図１０】本願の実施例による通信システムを示すブロック図である。
【００１８】
ここの図面は、本願の一層の理解のために含めたものであり、本明細書の一部となる。本願の概略的な実施例及びその説明は、本願の解説に用いるものであるが、本願を不当に限定するものではない。
【発明を実施するための形態】
【００１９】
以下、本願の実施例における図面を参照しながら、本願の実施例における技術的解決手段を説明する。勿論、記述される実施例は、全ての実施例ではなく、ただ本願の一部の実施例である。本願における実施例に基づいて、当業者が創造的な労力なしに得られる他の実施例の全ては、本願の保護範囲に含まれる。
【００２０】
本願の実施例の技術的解決手段は、例えばグローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ：ＧＳＭ）システム、符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ：ＷＣＤＭＡ）システム、汎用パケット無線サービス（Ｇｅｎｅｒａｌ  Ｐａｃｋｅｒ  Ｒａｄｉｏ  Ｓｅｒｖｉｃｅ：ＧＰＲＳ）、長期的進化（Ｌｏｎｇ  Ｔｅｒｍ  Ｅｖｏｌｕｔｉｏｎ：ＬＴＥ）システム、ＬＴＥ周波数分割複信（Ｆｒｅｑｕｅｎｃｙ  Ｄｉｖｉｓｉｏｎ  Ｄｕｐｌｅｘ：ＦＤＤ）システム、ＬＴＥ時分割複信（Ｔｉｍｅ  Ｄｉｖｉｓｉｏｎ  Ｄｕｐｌｅｘ：ＴＤＤ）システム、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）、ワイマックス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ：ＷｉＭＡＸ）通信システム又は５Ｇシステムといった種々の通信システムに適用されてもよい。
【００２１】
例示的には、本願の実施例に適用した通信システム１００は図１に示すとおりである。該通信システム１００は、ネットワーク装置１１０を備えてもよい。ネットワーク装置１１０は、端末１２０（通信端末、端末とも呼ばれる）と通信を行う装置であってもよい。ネットワーク装置１１０は、特定の地理的エリアに対して通信カバレッジを提供し、且つ該カバレッジ内に位置する端末と通信を行うことができる。任意選択的に、該ネットワーク装置１１０は、ＧＳＭシステム又はＣＤＭＡシステムにおける基地局（Ｂａｓｅ  Ｔｒａｎｓｃｅｉｖｅｒ  Ｓｔａｔｉｏｎ：ＢＴＳ）であってもよいし、ＷＣＤＭＡシステムにおける基地局（ＮｏｄｅＢ：ＮＢ）であってもよく、また、ＬＴＥシステムにおける進化型基地局（Ｅｖｏｌｕｔｉｏｎａｌ  ＮｏｄｅＢ：ｅＮＢ又はｅＮｏｄｅＢ）であってもよく、更にクラウド無線アクセスネットワーク（Ｃｌｏｕｄ  Ｒａｄｉｏ  Ａｃｃｅｓｓ  Ｎｅｔｗｏｒｋ：ＣＲＡＮ）における無線コントローラであってもよい。又は、該ネットワーク装置は、モバイルスイッチングセンタ、中継局、アクセスポイント、車載装置、ウェアラブル装置、ハブ、スイッチ、ブリッジ、ルータ、５Ｇネットワークにおけるネットワーク側装置又は将来の進化型公衆地上移動体ネットワーク（Ｐｕｂｌｉｃ  Ｌａｎｄ  Ｍｏｂｉｌｅ  Ｎｅｔｗｏｒｋ：ＰＬＭＮ）におけるネットワーク装置等であってもよい。
【００２２】
該通信システム１００は、ネットワーク装置１１０のカバレッジ範囲内に位置する少なくとも１つの端末１２０を更に備える。ここで使用される「端末」は、公衆交換電話網（Ｐｕｂｌｉｃ  Ｓｗｉｔｃｈｅｄ  Ｔｅｌｅｐｈｏｎｅ  Ｎｅｔｗｏｒｋｓ：ＰＳＴＮ）、デジタル加入者回線（Ｄｉｇｉｔａｌ  Ｓｕｂｓｃｒｉｂｅｒ  Ｌｉｎｅ：ＤＳＬ）、デジタルケーブル、直接ケーブルのような有線回線を経由して接続される装置、及び／又は別のデータ接続／ネットワークを経由して接続される装置、及び／又はセルラーネットワーク、無線ローカルエリアネットワーク（Ｗｉｒｅｌｅｓｓ  Ｌｏｃａｌ  Ａｒｅａ  Ｎｅｔｗｏｒｋ：ＷＬＡＮ）、ＤＶＢ−Ｈ  ネットワークのようなデジタルテレビジョンネットワーク、衛星ネットワーク、ＡＭ−ＦＭ放送送信機のような無線インタフェースを経由して接続される装置、及び／又は別の端末における、通信信号を受信／送信するように構成される装置、及び／又はモノのインターネット（Ｉｎｔｅｒｎｅｔ  ｏｆ  Ｔｈｉｎｇｓ：ＩｏＴ）装置を含むが、これらに限定されない。無線通信インタフェースを経由して通信を行うように構成される端末は、「無線通信端末」、「無線端末」、又は「携帯端末」と呼ばれてもよい。携帯端末の例は、衛星電話またはセルラー電話、セルラー無線電話とデータ処理、ファクシミリ及びデータ通信能力とを組み合わせることができるパーソナル通信システム（  Ｐｅｒｓｏｎａｌ  Ｃｏｍｍｕｎｉｃａｔｉｏｎｓ  Ｓｙｓｔｅｍ：ＰＣＳ）端末、無線電話、ページング装置、インターネット／イントラネットアクセス、Ｗｅｂブラウザ、メモ帳、カレンダ及び／又は全地球測位システム（Ｇｌｏｂａｌ  Ｐｏｓｉｔｉｏｎｉｎｇ  Ｓｙｓｔｅｍ：ＧＰＳ）受信機を含むＰＤＡ、及び従来のラップトップ及び／又はパームトップ受信機又は無線電話送受信機を含む他の電子機器を含むが、これらに限定されない。端末は、アクセス端末、ユーザ装置（Ｕｓｅｒ  Ｅｑｕｉｐｍｅｎｔ：ＵＥ）、ユーザユニット、ユーザ局、移動ステーション、移動局、遠隔局、遠隔端末装置、移動装置、ユーザ端末装置、端末装置、無線通信装置、ユーザ用エージェント又はユーザ装置であってもよい。アクセス端末装置は、セルラー電話、コードレス電話、セッション開始プロトコル（Ｓｅｓｓｉｏｎ  Ｉｎｉｔｉａｔｉｏｎ  Ｐｒｏｔｏｃｏ
ｌ：ＳＩＰ）電話、ワイヤレスローカルループ（Ｗｉｒｅｌｅｓｓ  Ｌｏｃａｌ  Ｌｏｏｐ：ＷＬＬ）局、パーソナルデジタルアシスタント（Ｐｅｒｓｏｎａｌ  Ｄｉｇｉｔａｌ  Ａｓｓｉｓｔａｎｔ：ＰＤＡ）、無線通信機能を有するハンドヘルド装置、計算装置又は無線モデムに接続される他の処理装置、車載装置、ウェアラブル装置、５Ｇネットワークにおける端末又は将来の進化型ＰＬＭＮにおける端末等であってもよい。
【００２３】
任意選択的に、端末１２０同士は、端末間（Ｄｅｖｉｃｅ  ｔｏ  Ｄｅｖｉｃｅ：Ｄ２Ｄ）での通信を行うことができる。
【００２４】
任意選択的に、５Ｇシステム又は５Ｇネットワークは、新しい無線（Ｎｅｗ  Ｒａｄｉｏ：ＮＲ）システム又はＮＲネットワークと呼ばれてもよい。
【００２５】
図１は、１つのネットワーク装置及び２つの端末を例示的に示す。任意選択的に、該通信システム１００は、複数のネットワーク装置を備えてもよく、また各ネットワーク装置のカバレッジに、他の数の端末が含まれてもよく、本願の実施例はこれを限定するものではない。
【００２６】
任意選択的に、該通信システム１００は、ネットワークコントローラ、移動管理エンティティ等の他のネットワークエンティティを備えてもよく、本願の実施例は、これを限定するものではない。
【００２７】
本願の実施例のネットワーク／システムにおける通信機能を有する装置は、通信装置と呼ばれてもよいことが理解されるべきである。図１に示す通信システム１００を例として、通信装置は、通信機能を有するネットワーク装置１１０及び端末１２０を備えてもよく、ネットワーク装置１１０及び端末１２０は、上述した具体的な装置であってもよく、ここで詳細な説明を省略する。通信装置は、ネットワークコントローラ、移動管理エンティティ等の他のネットワークエンティティのような、通信システム１００における他の装置を備えてもよく、本願の実施例はこれを限定するものではない。
【００２８】
本明細書における「システム」及び「ネットワーク」という用語は、本明細書において互換的に用いられてよいことが理解されるべきである。本明細書において、用語「及び／又は」は、関連対象の関連関係を説明するためのものであり、３通りの関係が存在することを表す。例えば、Ａ及び／又はＢは、Ａのみが存在すること、ＡとＢが同時に存在すること、Ｂのみが存在するという３つの場合を表す。また、本明細書において、文字「／」は、一般的に、前後の関連対象が、「又は」の関係であることを表す。
【００２９】
図２は、本願の実施例による信号伝送方法を示す第１フローチャートである。図２に示すように、前記信号伝送方法は、下記ステップを含む。
【００３０】
ステップ２０１において、端末が第１伝送リソースを決定し、前記第１伝送リソースで第１信号を受信し、前記第１信号は、上り伝送の停止を指示するためのものである。
【００３１】
本願の実施例において、前記端末は、携帯電話、タブレット、車載端末装置、ノートパソコンなどのような、ネットワークと通信できる如何なる装置であってもよい。
【００３２】
本願の実施例において、第１伝送リソースは、決定された伝送リソースである。端末は、該決定された伝送リソースで第１信号を受信し、上り伝送を停止する。ここで、端末が、決定された伝送リソースのみで第１信号を受信するため、端末による第１信号のブラインド検出を避け、端末の複雑さを低減させる。
【００３３】
本願の実施例において、前記端末は、前記第１伝送リソースで、基地局からの前記第１信号を受信する。ここで、基地局は、５ＧにおけるｇＮＢであってもよいが、これに限定されない。
【００３４】
一実施形態において、前記端末は、前記第１伝送リソースで前記第１信号を受信する前に、第２信号を受信し、前記第２信号は、前記第１伝送リソースを指示するためのものである。
【００３５】
更に、前記第１伝送リソースは、時間領域リソース、周波数領域リソース、符号領域リソースのうちの少なくとも１つを含む。
【００３６】
更に、前記第１伝送リソースは、時間領域で周期特性を有する。ここで、前記第１伝送リソースは、時間領域で周期特性を満たす。前記第１伝送リソースの周期は、０、無限大又は任意値であってもよい。前記第１伝送リソースの周期が無限大である場合、第１伝送リソースが時間領域で１回のみ現れることを示す。前記第１伝送リソースの周期が０である場合、第１伝送リソースが時間領域で常に出現することを表す。前記第１伝送リソースの周期は、任意値であってもよく、例えば、Ｔである場合、隣接する２つの第１伝送リソース間の時間間隔がＴであることを表す。
【００３７】
上記技術的解決手段において、第１伝送リソースがネットワーク側で構成されてもよいため、システム構成の柔軟性を向上させ、トラフィック需要に応じて第１伝送リソースを柔軟に構成することに寄与し、セル間干渉協調の実現に寄与する。
【００３８】
上記技術的解決手段において、前記第１伝送リソースは、上位層シグナリングにより構成されてもよく、又は、前記第１伝送リソースは、上位層シグナリングにより構成され、且つ、媒体アクセス制御（ＭＡＣ：Ｍｅｄｉａ  Ａｃｃｅｓｓ  Ｃｏｎｔｒｏｌ）層シグナリング又は物理層シグナリングによりトリガ／クローズされてもよい。
【００３９】
一実施形態において、前記端末は、前記第１伝送リソースで前記第１信号を受信する前に、第３信号を受信し、前記第３信号は、前記第１信号の伝送パラメータを指示するためのものである。
【００４０】
更に、前記第１信号の伝送パラメータは、伝送フォーマット、シーケンスリソース、符号化方式のうちの少なくとも１つを含む。
【００４１】
一例において、前記伝送フォーマットは、シーケンス、変調シンボル、変調後のシーケンスのうちの少なくとも１つを含む。
【００４２】
一例において、前記シーケンスリソースは、ルートシーケンス生成パラメータ、シーケンス循環シフトのうちの少なくとも１つを含む。
【００４３】
一例において、前記符号化方式は、ポーラコードを利用する。
【００４４】
上記技術的解決手段において、ネットワーク側は、第１信号の伝送パラメータを端末に提供し、端末側は、第１信号の伝送パラメータに従って第１信号を受信する。信号検出の複雑さを低減させる。
【００４５】
上記技術的解決手段において、前記伝送フォーマットにおけるシーケンスは、スモールペイロード（ｓｍａｌｌ  ｐａｙｌｏａｄ）の第１信号の伝送に適用され、検出複雑さが小さくて検出精度が高いという特徴を有する。
【００４６】
上記技術的解決手段において、前記伝送フォーマットにおける変調シンボルは、中程度／ラージペイロード（ｍｏｄｅｒａｔｅ／ｌａｒｇｅ  ｐａｙｌｏａｄ）の第１信号の伝送に適用される。
【００４７】
上記技術的解決手段において、前記伝送フォーマットにおける変調後のシーケンスは、スモールペイロード（ｓｍａｌｌ  ｐａｙｌｏａｄ）の第一信号の伝送に適用され、検出複雑さが低くて検出精度が高いという特徴を有する。
【００４８】
上記技術的解決手段において、前記符号化方式は、ポーラコード（ｐｏｌａｒ符号）を利用して、新たな符号化方式の追加を避け、端末の複雑さの増加を避ける。
【００４９】
上記技術的解決手段において、前記第１信号の伝送パラメータ内の第１部分パラメータは、ネットワークにより構成されたものであり、前記第１信号の伝送パラメータにおける第２部分パラメータは、プロトコルで定められたものであり、又は、前記第１信号の伝送パラメータ内の全てのパラメータは、ネットワークにより構成されたものであり、又は、前記第１信号の伝送パラメータ内の全てのパラメータは、プロトコルで定められたものである。
【００５０】
ここで、プロトコルで定められる方式によって、前記第１信号の伝送パラメータ（一部の伝送パラメータであってもよく、全ての伝送パラメータであってもよい）を決定することで、シグナリングオーバーヘッドを低減させ、端末の実現複雑さを低減させることができる。ネットワークによる構成の方式で、前記第１信号の伝送パラメータ（一部の伝送パラメータであってもよく、全ての伝送パラメータであってもよい）を決定することで、システム設計の柔軟性を向上させることができる。
【００５１】
一実施形態において、前記端末は、前記第１伝送リソースで前記第１信号を受信する前に、第４信号を受信し、前記第４信号は、前記第１信号の時間領域リソースと上り伝送停止対象である時間領域リソースとの時系列関係を指示するためのものである。
【００５２】
例を挙げると、第４信号は、第１信号の時間領域リソースに対する、上り伝送停止対象である時間領域リソースの時間領域オフセット（Ｏｆｆｓｅｔ）を指示するためのものである。端末は、ｔ１時刻で第１信号を受信する場合、ｔ１＋Ｏｆｆｓｅｔ時刻で、上り伝送を停止する。
【００５３】
また一例を挙げると、第４信号は、上り伝送停止対象である時間領域リソースが、第１信号の後のＮ番目の候補時間領域リソースであることを指示するためのものであり、Ｎは、正整数である。ここで、候補時間領域リソースは、上り伝送停止を実現できる時間領域リソースである。
【００５４】
ここで、第４信号に含まれるものが、具体的な時間領域リソース情報ではなく、時系列関係だけであるため、第４信号のペイロード（ｐａｙｌｏａｄ）を低減させることができる。
【００５５】
一実施形態において、前記端末は、前記第１伝送リソースで前記第１信号を受信する前に、第５信号を受信し、前記第５信号は、上り伝送停止対象である時間周波数リソース、又は上り伝送停止対象である時間周波数リソース集合を指示するためのものである。
【００５６】
本願の実施例の上記技術的解決手段において、上り伝送停止対象である時間周波数リソースは、
特定のシンボルのシステム帯域幅全体、特定のシンボルの帯域幅パート（ＢＷＰ：Ｂａｎｄ  Ｗｉｄｔｈ  Ｐａｒｔ）全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つである。
【００５７】
ここで、特定のシンボルは、例えば、直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルのような特定の時間領域シンボルを指す。
【００５８】
例を挙げると、上り伝送停止対象である時間周波数リソースは、シンボル２に対応するシステム帯域幅全体又は部分のシステム帯域幅である。
【００５９】
また一例を挙げると、上り伝送停止対象である時間周波数リソースは、シンボル４を開始点としたシステム帯域幅全体又は部分のシステム帯域幅である。
【００６０】
本願の実施例の上記技術的解決手段において、前記第１伝送リソースは、前記第１信号以外の下り信号の伝送にも用いられ、具体的には、前記第１伝送リソースにより伝送される内容は、基地局のスケジューリングによって決まる。
【００６１】
本願の実施例の上記技術的解決手段において、前記第２信号、第３信号、第４信号、第５信号は、上位層シグナリング、物理層シグナリング、ＭＡＣシグナリングのうちの少なくとも１つを含む。つまり、前記第２信号、第３信号、第４信号、第５信号は、上位層シグナリング、物理層シグナリング、ＭＡＣシグナリング、又はこれらのシグナリングの任意の組み合わせであってもよい。
【００６２】
本願の上記技術的解決手段において、前記端末が前記第１伝送リソースで前記第１信号を受信する場合、
上り伝送停止対象であるリソースにおいて伝送されるデータがあるという条件、
前記端末が前記第１信号を検出する能力を有するという条件、
前記端末が前記第１信号を検出する能力を報告したという条件のうちの少なくとも１つを満たす必要がある。
【００６３】
図３は、本願の実施例による信号伝送方法を示す第２フローチャートである。図３に示すように、前記伝送方法は、下記ステップを含む。
【００６４】
ステップ３０１において、基地局が第１伝送リソースで第１信号を送信し、前記第１信号は、上り伝送の停止を端末に指示するためのものである。
【００６５】
本願の実施例において、前記基地局は、５ＧにおけるｇＮＢであってもよいが、これに限定されない。
【００６６】
本願の実施例において、前記基地局は、前記第１伝送リソースで、端末に第１信号を送信する。
【００６７】
本願の実施例において、前記端末は、携帯電話、タブレット、車載端末装置、ノートパソコンなどのような、ネットワークと通信できる如何なる装置であってもよい。
【００６８】
本願の実施例において、第１伝送リソースは、決定された伝送リソースである。基地局は、該決定された伝送リソースで第１信号を送信する。これにより、端末は、前記第１信号に基づいて上り伝送を停止する。ここで、端末が、決定された伝送リソースのみで第１信号を受信するため、端末による第１信号のブラインド検出を避け、端末の複雑さを低減させる。
【００６９】
一実施形態において、前記基地局は、前記第１伝送リソースで前記第１信号を送信する前に、第２信号を送信し、前記第２信号は、前記第１伝送リソースを指示するためのものである。
【００７０】
更に、前記第１伝送リソースは、時間領域リソース、周波数領域リソース、符号領域リソースのうちの少なくとも１つを含む。
【００７１】
更に、前記第１伝送リソースは、時間領域で周期特性を有する。ここで、前記第１伝送リソースは、時間領域で周期特性を満たす。前記第１伝送リソースの周期は、０、無限大又は任意値であってもよい。前記第１伝送リソースの周期が無限大である場合、第１伝送リソースが時間領域で１回のみ現れることを示す。前記第１伝送リソースの周期が０である場合、第１伝送リソースが時間領域で常に出現することを表す。前記第１伝送リソースの周期は、任意値であってもよく、例えば、Ｔである場合、隣接する２つの第１伝送リソース間の時間間隔がＴであることを表す。
【００７２】
上記技術的解決手段において、第１伝送リソースがネットワーク側で構成されてもよいため、システム構成の柔軟性を向上させ、トラフィック需要に応じて第１伝送リソースを柔軟に構成することに寄与し、セル間干渉協調の実現に寄与する。
【００７３】
上記技術的解決手段において、前記第１伝送リソースは、上位層シグナリングにより構成されてもよく、又は、前記第１伝送リソースは、上位層シグナリングにより構成され、且つ、ＭＡＣ層シグナリング又は物理層シグナリングによりトリガ／クローズされてもよい。
【００７４】
一実施形態において、前記基地局は、前記第１伝送リソースで前記第１信号を送信する前に、第３信号を送信し、前記第３信号は、前記第１信号の伝送パラメータを指示するためのものである。
【００７５】
更に、前記第１信号の伝送パラメータは、伝送フォーマット、シーケンスリソース、符号化方式のうちの少なくとも１つを含む。
【００７６】
一例において、前記伝送フォーマットは、シーケンス、変調シンボル、変調後のシーケンスのうちの少なくとも１つを含む。
【００７７】
一例において、前記シーケンスリソースは、ルートシーケンス生成パラメータ、シーケンス循環シフトのうちの少なくとも１つを含む。
【００７８】
一例において、前記符号化方式は、ポーラコードを利用する。
【００７９】
上記技術的解決手段において、ネットワーク側は、第１信号の伝送パラメータを端末に提供し、端末側は、第１信号の伝送パラメータに応じて第１信号を受信する。信号検出の複雑さを低減させる。
【００８０】
上記技術的解決手段において、前記伝送フォーマットにおけるシーケンスは、ｓｍａｌｌ  ｐａｙｌｏａｄの第１信号の伝送に適用され、検出複雑さが小さくて検出精度が高いという特徴を有する。
【００８１】
上記技術的解決手段において、前記伝送フォーマットにおける変調シンボルは、ｍｏｄｅｒａｔｅ／ｌａｒｇｅ  ｐａｙｌｏａｄの第１信号の伝送に適用される。
【００８２】
上記技術的解決手段において、前記伝送フォーマットにおける変調後のシーケンスは、ｓｍａｌｌ  ｐａｙｌｏａｄの第一信号の伝送に適用され、検出複雑さが低くて検出精度が高いという特徴を有する。
【００８３】
上記技術的解決手段において、前記符号化方式は、ポーラコードを利用して、新たな符号化方式の追加を避け、端末の複雑さの増加を避ける。
【００８４】
上記技術的解決手段において、前記第１信号の伝送パラメータ内の第１部分パラメータは、ネットワークにより構成されたものであり、前記第１信号の伝送パラメータにおける第２部分パラメータは、プロトコルで定められたものであり、又は、前記第１信号の伝送パラメータ内の全てのパラメータは、ネットワークにより構成されたものであり、又は、前記第１信号の伝送パラメータ内の全てのパラメータは、プロトコルで定められたものである。
【００８５】
ここで、プロトコルで定められる方式によって、前記第１信号の伝送パラメータ（一部の伝送パラメータであってもよく、全ての伝送パラメータであってもよい）を決定することで、シグナリングオーバーヘッドを低減させ、端末の実現複雑さを低減させることができる。ネットワークによる構成の方式で、前記第１信号の伝送パラメータ（一部の伝送パラメータであってもよく、全ての伝送パラメータであってもよい）を決定することで、システム設計の柔軟性を向上させることができる。
【００８６】
一実施形態において、前記基地局は、前記第１伝送リソースで前記第１信号を送信する前に、第４信号を送信し、前記第４信号は、前記第１信号の時間領域リソースと上り伝送停止対象である時間領域リソースとの時系列関係を指示するためのものである。
【００８７】
例を挙げると、第４信号は、第１信号の時間領域リソースに対する、上り伝送停止対象である時間領域リソースの時間領域オフセット（Ｏｆｆｓｅｔ）を指示するためのものである。端末は、ｔ１時刻で第１信号を受信すると、ｔ１＋Ｏｆｆｓｅｔ時刻で、上り伝送を停止する。
【００８８】
また一例を挙げると、第４信号は、上り伝送停止対象である時間領域リソースが、第１信号の後のＮ番目の候補時間領域リソースであることを指示するためのものであり、Ｎは、正整数である。ここで、候補時間領域リソースは、上り伝送停止を実現できる時間領域リソースである。
【００８９】
ここで、第４信号に含まれるものが、具体的な時間領域リソース情報ではなく、時系列関係だけであるため、第４信号のｐａｙｌｏａｄを低減させることができる。
【００９０】
一実施形態において、前記基地局は、前記第１伝送リソースで前記第１信号を送信する前に、第５信号を送信し、前記第５信号は、上り伝送停止対象である時間周波数リソース、又は上り伝送停止対象である時間周波数リソース集合を指示するためのものである。
【００９１】
本願の実施例の上記技術的解決手段において、上り伝送停止対象である時間周波数リソースは、
特定のシンボルのシステム帯域幅全体、特定のシンボルのＢＷＰ全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つである。
【００９２】
ここで、特定のシンボルは、例えば、ＯＦＤＭシンボルのような特定の時間領域シンボルを指す。
【００９３】
例を挙げると、上り伝送停止対象である時間周波数リソースは、シンボル２に対応するシステム帯域幅全体又は部分のシステム帯域幅である。
【００９４】
また一例を挙げると、上り伝送停止対象である時間周波数リソースは、シンボル４を開始点としたシステム帯域幅全体又は部分のシステム帯域幅である。
【００９５】
本願の実施例の上記技術的解決手段において、前記第１伝送リソースは、前記第１信号以外の下り信号の伝送にも用いられ、具体的には、前記第１伝送リソースにより伝送される内容は、基地局のスケジューリングによって決まる。
【００９６】
本願の実施例の上記技術的解決手段において、前記第２信号、第３信号、第４信号、第５信号は、上位層シグナリング、物理層シグナリング、ＭＡＣシグナリングのうちの少なくとも１つを含む。つまり、前記第２信号、第３信号、第４信号、第５信号は、上位層シグナリング、物理層シグナリング、ＭＡＣシグナリング、又はこれらのシグナリングの任意の組み合わせであってもよい。
【００９７】
以下、具体的な適用例を参照しながら、本願の実施例の技術的解決手段を更に説明する。
【００９８】
適用例１：シーケンスに基づいた上り伝送停止の指示
端末は、第１伝送リソースを決定し、前記第１伝送リソースで第１信号を受信する。前記第１信号は、第１シーケンスを採用する。第１シーケンスは、上り伝送の停止を指示するためのものである。
【００９９】
ここで、第１シーケンスとして、ＺＣシーケンス、ランダムシーケンス又は直交シーケンスのような、５Ｇ  ＮＲにおける既存のシーケンスを用いてもよい。ここで、好ましく、ＺＣシーケンスを採用する。シーケンスの生成方式は、５Ｇ  ＮＲプロトコルで定めた通りである。更に、ルートシーケンスの生成は、セルＩＤ、ＵＥグループＩＤ、又は上位層の設定値に関係している。循環シフト値は、プロトコルで定められるか又は上位層により構成される（好ましく上位層により構成される）。
【０１００】
一例において、基地局は、上位層シグナリングにより、ＺＣシーケンスのルートシーケンスに必要なｕ、ｖ及び循環シフト値ａを構成する。
【０１０１】
端末は、決定された伝送リソース（即ち、第１伝送リソース）で、該構成されたシーケンスを検出する。検出した場合、上り伝送を停止する。上り伝送を特定の時間周波数リソースにマッピングすることを停止し、ここで、時間領域リソースの開始点は、シーケンスと開始点（上り伝送停止の開始点）とのプリセットされた時系列関係によって決まる。前記シーケンスと開始点とのプリセットされた時系列関係は、プロトコルで定められるか又は上位層シグナリングにより構成される。時間領域リソースの長さは、上位層シグナリング又はプロトコルで定められ、例えば２個のシンボルである。プロトコルで定められた値は、サブキャリ間隔に関係するものであってもよい。例えば、サブキャリア間隔が１５ＫＨｚである場合、時間領域リソースの長さは、２個のシンボルである。サブキャリア間隔が３０Ｋｈｚである場合、時間領域リソースの長さは、４個のシンボルである。プロトコルにより、時間領域リソースの長さがシーケンス送信周期に関係すると、定めてもよく、例えば、時間領域リソースの長さが、シーケンス送信周期に等しく、いずれも２個のシンボルである場合、いずれのシンボルも指示されることができる。周波数領域リソースは、プロトコルで定められ、例えば、帯域幅パート（ＢＷＰ：Ｂａｎｄ  Ｗｉｄｔｈ  Ｐａｒｔ）全体であり、又は、上位層により構成されるｎ個の物理リソースブロック（ＰＲＢ：Ｐｈｙｓｉｃａｌ  Ｒｅｓｏｕｒｃｅ  Ｂｌｏｃｋ）、又は、１／Ｎ  ＰＲＢ、又はｎ１−ｎ２  ＰＲＢである。
【０１０２】
適用例２：シーケンスに基づいた、上り伝送停止対象であるリソースの指示
該例において、一組のシーケンスを利用して上り伝送停止を指示する点で適用例１と相違する。一組のシーケンスは、それぞれ異なる時間周波数リソース、時間領域リソース又は周波数領域リソースに対応する。１つの次元（例えば周波数領域次元又は時間領域次元）のリソースをシーケンスによって区分することに対して、もう１つの次元（例えば、時間領域次元又は周波数領域次元）のリソースは、上位層により構成されるか又はプロトコルで定められる。
【０１０３】
一例において、周波数領域リソースは、サブバンド又は１／Ｎ  ＢＷＰを粒度とし、時間領域リソースは、シンボルを単位とする。サブキャリア間隔が異なり、時間領域リソースの基本単位に対応するシンボル数は異なる。
【０１０４】
図４（ａ）、図４（ｂ）、図４（ｃ）を例として、端末は、シーケンスＳ１を検出した場合、Ｓ１に対応する時間領域における上り伝送を停止する。更に、１つのＴＢにおける一部のリソースがＳ１に対応する時間周波数領域内にあれば、ＴＢの全ての伝送を停止するか、それともＳ１に対応する時間領域の開始点以降の伝送を停止する。
【０１０５】
適用例３：変調シンボルに基づいた、上り伝送停止の指示／上り伝送停止対象であるリソースの指示
例えば、グループ共通ＤＣＩ（ｇｒｏｕｐ  ｃｏｍｍｏｎ  ＤＣＩ）のような下り制御情報（ＤＣＩ：Ｄｏｗｎｌｉｎｋ  Ｃｏｎｔｒｏｌ  Ｉｎｆｏｒｍａｔｉｏｎ）により、上り伝送の停止を指示する。
【０１０６】
方法１において、変調シンボルを用いて、上り伝送停止対象であるリソースを指示する場合、端末は、第１信号を受信する前に、上位層シグナリングにより、ＤＣＩシグナリングとリソースとのマッピング関係を構成することができる。例えば、表１に示す通りである。
【表１】
2022502883.tif 000003
【０１０７】
ここで、ｇｒｏｕｐ  ｃｏｍｍｏｎ  ＤＣＩを用いる場合、重複に符号化してもよく、これは、シグナリングの実現可能性を向上させると共に、有効情報ビットと巡回冗長検査（ＣＲＣ：Ｃｙｃｌｉｃ  Ｒｅｄｕｎｄａｎｃｙ  Ｃｈｅｃｋ）のチェックビットとの不整合を避ける。例えば、プリエンプションリソース集合（ｐｒｅｅｍｐｔｉｏｎ  ｒｅｓｏｕｒｃｅ  ｓｅｔ）内の第２リソースを指示する場合、０１０１０１０１０１で指示する。
【０１０８】
方法２において、ＤＣＩは、少なくとも時間周波数リソース指示情報を含む。これは、５Ｇ  ＮＲにおける上りグラントリソース（ＵＬ  ｇｒａｎｔ）／下りグラントリソース（ＤＬ  ｇｒａｎｔ）スケジューリングの指示と類似する。
【０１０９】
適用例４：決定された第１伝送リソース
方法１において、端末は、上位層シグナリングを受信し、決定された第１伝送リソースを指示する。図５（ａ）及び図５（ｂ）に示すように、時間周期、時間領域の開始点、シグナリングの時間領域幅、周波数領域リソースのうちの少なくとも１つを含む。
【０１１０】
方法２において、端末は、上位層シグナリングを受信する。該上位層シグナリングによって、プリエンプション指示（ｐｒｅｅｍｐｔｉｏｎ  ｉｎｄｉｃａｔｏｒ）を検知する領域、又は、アグリゲーションレベルが８であること、又は、共通サーチスペース（Ｃｏｍｍｏｎ  ｓｅａｒｃｈ  ｓｐａｃｅ）の第１個の制御チャネルユニット（ＣＣＥ：Ｃｏｎｔｒｏｌ  Ｃｈａｎｎｅｌ  Ｅｌｅｍｅｎｔ）から開始すること、又はＮ１番目及びＮ２番目のＣＣＥから開始すること、を指示する。
【０１１１】
適用例５：第１信号の時間領域リソースと上り伝送停止対象である時間領域リソースとの時系列関係
第１信号の時間領域リソースと上り伝送停止対象である時間領域リソースとの時系列関係は、上位層により構成される。該構成は、主に基地局のスケジューリング、端末がデータ上り伝送／上り伝送停止を準備するための処理時間を考慮する。例えば、端末の処理能力がＫ２であれば、基地局は、それを参考して、第１信号の時間領域リソースと上り伝送停止対象である時間領域リソースとの時間間隔は、Ｋ２より大きいと設定する必要がある。
【０１１２】
第１信号の時間領域リソースと上り伝送停止対象である時間領域リソースとの時系列関係がｋ個のシンボルである場合、端末は、ｎ番目のシンボルでシグナリングを受信し、ｎ＋ｋ以降の上り伝送を停止する。
【０１１３】
図６は、本願の実施例による信号伝送装置の構造を示す第１概略図である。図６に示すように、前記信号伝送装置は、
第１伝送リソースを決定するように構成される決定ユニット６０１と、
前記第１伝送リソースで第１信号を受信するように構成される受信ユニット６０２であって、前記第１信号は、上り伝送の停止を指示するためのものである、受信ユニット６０２と、を備える。
【０１１４】
一実施形態において、前記受信ユニット６０２は、前記第１伝送リソースで前記第１信号を受信する前に、第２信号を受信し、前記第２信号は、前記第１伝送リソースを指示するためのものである。
【０１１５】
一実施形態において、前記第１伝送リソースは、時間領域リソース、周波数領域リソース、符号領域リソースのうちの少なくとも１つを含む。
【０１１６】
一実施形態において、前記第１伝送リソースは、時間領域で周期特性を有する。
【０１１７】
一実施形態において、前記第２信号は、上位層シグナリング、物理層シグナリング、ＭＡＣシグナリングのうちの少なくとも１つを含む。
【０１１８】
一実施形態において、前記受信ユニット６０２は、前記第１伝送リソースで前記第１信号を受信する前に、第３信号を受信し、前記第３信号は、前記第１信号の伝送パラメータを指示するためのものである。
【０１１９】
一実施形態において、前記第１信号の伝送パラメータは、伝送フォーマット、シーケンスリソース、符号化方式のうちの少なくとも１つを含む。
【０１２０】
一実施形態において、前記伝送フォーマットは、シーケンス、変調シンボル、変調後のシーケンスのうちの少なくとも１つを含む。
【０１２１】
一実施形態において、前記シーケンスリソースは、ルートシーケンス生成パラメータ、シーケンス循環シフトのうちの少なくとも１つを含む。
【０１２２】
一実施形態において、前記符号化方式は、ポーラコードを利用する。
【０１２３】
一実施形態において、前記第１信号の伝送パラメータ内の第１部分パラメータは、ネットワークにより構成されたものであり、前記第１信号の伝送パラメータにおける第２部分パラメータは、プロトコルで定められたものであり、又は、
前記第１信号の伝送パラメータ内の全てのパラメータは、ネットワークにより構成されたものであり、又は、
前記第１信号の伝送パラメータ内の全てのパラメータは、プロトコルで定められたものである。
【０１２４】
一実施形態において、前記第３信号は、上位層シグナリング、物理層シグナリング、ＭＡＣシグナリングのうちの少なくとも１つを含む。
【０１２５】
一実施形態において、前記受信ユニット６０２は、前記第１伝送リソースで前記第１信号を受信する前に、第４信号を受信し、前記第４信号は、前記第１信号の時間領域リソースと上り伝送停止対象である時間領域リソースとの時系列関係を指示するためのものである。
【０１２６】
一実施形態において、前記第４信号は、上位層シグナリング、物理層シグナリング、ＭＡＣシグナリングのうちの少なくとも１つを含む。
【０１２７】
一実施形態において、前記受信ユニット６０２は、前記第１伝送リソースで前記第１信号を受信する前に、第５信号を受信し、前記第５信号は、上り伝送停止対象である時間周波数リソース、又は上り伝送停止対象である時間周波数リソース集合を指示するためのものである。
【０１２８】
一実施形態において、前記第５信号は、上位層シグナリング、物理層シグナリング、ＭＡＣシグナリングのうちの少なくとも１つを含む。
【０１２９】
一実施形態において、上り伝送停止対象である時間周波数リソースは、
特定のシンボルのシステム帯域幅全体、特定のシンボルのＢＷＰ全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つである。
【０１３０】
一実施形態において、前記第１伝送リソースは、前記第１信号以外の下り信号の伝送にも用いられる。
【０１３１】
一実施形態において、前記受信ユニット６０２が前記第１伝送リソースで前記第１信号を受信する場合、
上り伝送停止対象であるリソースにおいて伝送されるデータがあるという条件、
前記端末が前記第１信号を検出する能力を有するという条件、
前記端末が前記第１信号を検出する能力を報告したという条件のうちの少なくとも１つを満たす必要がある。
【０１３２】
本願の実施例の上記信号伝送装置に関連する説明を、本願の実施例の信号伝送方法に関連する説明を参照しながら理解できることは、当業者であれば、理解すべきである。
【０１３３】
図７は、本願の実施例による信号伝送装置の構造を示す第２概略図である。図７に示すように、前記信号伝送装置は、
第１伝送リソースで第１信号を送信するように構成される送信ユニット７０１であって、前記第１信号は、上り伝送の停止を端末に指示するためのものである、送信ユニット７０１を備える。
【０１３４】
一実施形態において、前記送信ユニット７０１は、前記第１伝送リソースで前記第１信号を送信する前に、第２信号を送信し、前記第２信号は、前記第１伝送リソースを指示するためのものである。
【０１３５】
一実施形態において、前記第１伝送リソースは、時間領域リソース、周波数領域リソース、符号領域リソースのうちの少なくとも１つを含む。
【０１３６】
一実施形態において、前記第１伝送リソースは、時間領域で周期特性を有する。
【０１３７】
一実施形態において、前記第２信号は、上位層シグナリング、物理層シグナリング、ＭＡＣシグナリングのうちの少なくとも１つを含む。
【０１３８】
一実施形態において、前記送信ユニット７０１は、前記第１伝送リソースで前記第１信号を送信する前に、第３信号を送信し、前記第３信号は、前記第１信号の伝送パラメータを指示するためのものである。
【０１３９】
一実施形態において、前記第１信号の伝送パラメータは、伝送フォーマット、シーケンスリソース、符号化方式のうちの少なくとも１つを含む。
【０１４０】
一実施形態において、前記伝送フォーマットは、シーケンス、変調シンボル、変調後のシーケンスのうちの少なくとも１つを含む。
【０１４１】
一実施形態において、前記シーケンスリソースは、ルートシーケンス生成パラメータ、シーケンス循環シフトのうちの少なくとも１つを含む。
【０１４２】
一実施形態において、前記符号化方式は、ポーラコードを利用する。
【０１４３】
一実施形態において、前記第１信号の伝送パラメータ内の第１部分パラメータは、ネットワークにより構成されたものであり、前記第１信号の伝送パラメータにおける第２部分パラメータは、プロトコルで定められたものであり、又は、
前記第１信号の伝送パラメータ内の全てのパラメータは、ネットワークにより構成されたものであり、又は、
前記第１信号の伝送パラメータ内の全てのパラメータは、プロトコルで定められたものである。
【０１４４】
一実施形態において、前記第３信号は、上位層シグナリング、物理層シグナリング、ＭＡＣシグナリングのうちの少なくとも１つを含む。
【０１４５】
一実施形態において、前記送信ユニット７０１は、前記第１伝送リソースで前記第１信号を送信する前に、第４信号を送信し、前記第４信号は、前記第１信号の時間領域リソースと上り伝送停止対象である時間領域リソースとの時系列関係を指示するためのものである。
【０１４６】
一実施形態において、前記第４信号は、上位層シグナリング、物理層シグナリング、ＭＡＣシグナリングのうちの少なくとも１つを含む。
【０１４７】
一実施形態において、前記送信ユニット７０１は、前記第１伝送リソースで前記第１信号を送信する前に、第５信号を送信し、前記第５信号は、上り伝送停止対象である時間周波数リソース、又は上り伝送停止対象である時間周波数リソース集合を指示するためのものである。
【０１４８】
一実施形態において、前記第５信号は、上位層シグナリング、物理層シグナリング、ＭＡＣシグナリングのうちの少なくとも１つを含む。
【０１４９】
一実施形態において、上り伝送停止対象である時間周波数リソースは、
特定のシンボルのシステム帯域幅全体、特定のシンボルのＢＷＰ全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つである。
【０１５０】
一実施形態において、前記第１伝送リソースは、前記第１信号以外の下り信号の伝送にも用いられる。
【０１５１】
本願の実施例の上記信号伝送装置に関連する説明を、本願の実施例の信号伝送方法に関連する説明を参照しながら理解できることは、当業者であれば、理解すべきである。
【０１５２】
図８は、本願の実施例による通信装置６００の構造を示す概略図である。該通信装置は、端末であってもよいし、ネットワーク装置（例えば、基地局）であってもよい。図８に示す通信装置６００は、プロセッサ６１０を備え、プロセッサ６１０は、メモリからコンピュータプログラムを呼び出して実行し、本願の実施例における方法を実現させる。
【０１５３】
任意選択的に、図８に示すように、通信装置６００は、メモリ６２０を更に備えてもよい。ここで、プロセッサ６１０は、メモリ６２０からコンピュータプログラムを呼び出して実行し、本願の実施例における方法を実現させる。
【０１５４】
ここで、メモリ６２０は、プロセッサ６１０から独立した個別のデバイスであってもよいし、プロセッサ６１０に集積されてもよい。
【０１５５】
任意選択的に、図８に示すように、通信装置６００は、送受信機６３０を更に備えてもよい。プロセッサ６１０は、該送受信機６３０を、他の装置と通信するように制御することができる。具体的には、他の装置に情報又はデータを送信できるか又は他の装置からの情報又はデータを受信できる。
【０１５６】
ここで、送受信機６３０は、送信機及び受信機を備えてもよい。送受信機６３０は、アンテナを更に備えてもよい。アンテナの数は、１つ又は複数であってもよい。
【０１５７】
任意選択的に、該通信装置６００は具体的には、本願の実施例のネットワーク装置であってもよい。また、該通信装置６００は、本願の実施例の各方法におけるネットワーク装置により実現されるプロセスを実現させることができる。簡潔化のために、ここで詳細な説明を省略する。
【０１５８】
任意選択的に、該通信装置６００は具体的には、本願の実施例の携帯端末／端末であってもよい。また、該通信装置６００は、本願の実施例の各方法における携帯端末／端末により実現されるプロセスを実現させることができる。簡潔化のために、ここで詳細な説明を省略する。
【０１５９】
図９は、本願の実施例によるチップの構造を示す概略図である。図９に示すチップ７００は、プロセッサ７１０を備える。プロセッサ７１０は、メモリからコンピュータプログラムを呼び出して実行し、本願の実施例における方法を実現させる。
【０１６０】
任意選択的に、図９に示すように、チップ７００は、メモリ７２０を更に備えてもよい。ここで、プロセッサ７１０は、メモリ７２０からコンピュータプログラムを呼び出して実行し、本願の実施例における方法を実現させる。
【０１６１】
ここで、メモリ７２０は、プロセッサ７１０から独立した個別のデバイスであってもよいし、プロセッサ７１０に集積されてもよい。
【０１６２】
任意選択的に、該チップ７００は、入力インタフェース７３０を更に備えてもよい。ここで、プロセッサ７１０は、該入力インタフェース７３０を、他の装置又はチップと通信するように制御することができる。具体的には、他の装置又はチップからの情報又はデータを取得することができる。
【０１６３】
任意選択的に、該チップ７００は、出力インタフェース７４０を更に備えてもよい。ここで、プロセッサ７１０は、該出力インタフェース７４０を、他の装置又はチップと通信するように制御することができる。具体的には、他の装置又はチップに情報又はデータを出力することができる。
【０１６４】
任意選択的に、該チップは、本願の実施例におけるネットワーク装置に適用可能である。また、該チップは、本願の実施例の各方法におけるネットワーク装置により実現されるプロセスを実現させることができる。簡潔化のために、ここで詳細な説明を省略する。
【０１６５】
任意選択的に、該チップは、本願の実施例における携帯端末／端末に適用可能である。また、該チップは、本願の実施例の各方法における携帯端末／端末により実現されるプロセスを実現させることができる。簡潔化のために、ここで詳細な説明を省略する。
【０１６６】
本願の実施例で言及したチップは、システムオンチップ、システムチップ、チップシステム又はチップの上にあらゆるパーツを搭載したシステムと呼ばれてもよいことが理解されるべきである。
【０１６７】
図１０は、本願の実施例による通信システム９００を示すブロック図である。図１０に示すように、該通信システム９００は、端末９１０とネットワーク装置９２０とを備える。
【０１６８】
ここで、該端末９１０は、上記方法における端末により実現される機能を実現させるために用いられる。該ネットワーク装置９２０は、上記方法におけるネットワーク装置により実現される機能を実現させるために用いられる。簡潔化のために、ここで詳細な説明を省略する。
【０１６９】
本願の実施例におけるプロセッサは、信号処理能力を有する集積回路チップであってもよいことが理解されるべきである。実現プロセスにおいて、上記方法の実施例における各ステップは、プロセッサにおけるハードウェアの集積論理回路又はソフトウェアの形の命令により完成することができることが理解されるべきである。上記プロセッサは、汎用プロセッサ、デジタル信号プロセッサ（Ｄｉｇｉｔａｌ  Ｓｉｇｎａｌ  Ｐｒｏｃｅｓｓｏｒ：ＤＳＰ）、特定用途向け集積回路（Ａｐｐｌｉｃａｔｉｏｎ  Ｓｐｅｃｉｆｉｃ  Ｉｎｔｅｒｇｒａｔｅｄ  Ｃｉｒｃｕｉｔ：ＡＳＩＣ）、現場でプログラム可能なゲートアレイ（Ｆｉｅｌｄ  Ｐｒｏｇｒａｍｍａｂｌｅ  Ｇａｔｅ  Ａｒｒａｙ：ＦＰＧＡ）又は他のプログラマブルロジックデバイス、ディスクリートゲート又はトランジスタロジックデバイス、ディスクリートハードウェアコンポーネントであってもよい。本願の実施例に開示されている各方法、ステップ及び論理ブロック図を実現又は実行することができる。汎用プロセッサはマイクロプロセッサであってもよいし、該プロセッサは如何なる従来のプロセッサ等であってもよい。本願の実施例に開示されている方法のステップを結合して、ハードウェア解読プロセッサによって完成し、又は解読プロセッサ内のハードウェアとソフトウェアモジュールとの組み合わせで実行して完成するように示す。ソフトウェアモジュールは、ランダムアクセスメモリ、フラッシュメモリ、読み取り専用メモリ、プログラマブル読み取り専用メモリ又は電気的消去プログラム可能なメモリ、レジスタ等の本分野の従来の記憶媒体内に存在してもよい。該記憶媒体はメモリ内に位置し、プロセッサはメモリ中の情報を読み取り、そのハードウェアと共に上記方法のプロセスを完了する。
【０１７０】
本願の実施例におけるメモリは、揮発性または不揮発性メモリであってもよいし、揮発性メモリと不揮発性メモリの両者を備えてもよいことが理解されるべきである。ここで、不揮発性メモリは、読み出し専用メモリ（Ｒｅａｄ-ｏｎｌｙ Ｍｅｍｏｒｙ：ＲＯＭ）、プログラマブル読み出し専用メモリ（Ｐｒｏｇｒａｍｍａｂｌｅ  ＲＯＭ：ＰＲＯＭ）、消去可能なプログラマブル読み出し専用メモリ（Ｅｒａｓａｂｌｅ  ＰＲＯＭ：ＥＰＲＯＭ）、電気的消去可能なプログラマブル読み出し専用メモリ（Ｅｌｅｃｔｒｉｃａｌｌｙ  ＥＰＲＯＭ：ＥＥＰＲＯＭ）又はフラッシュメモリであってもよい。揮発性メモリは、外部キャッシュメモリとして機能するランダムアクセスメモリ（Ｒａｎｄｏｍ  Ａｃｃｅｓｓ  Ｍｅｍｏｒｙ：ＲＡＭ）であってもよい。非限定的な例証として、ＲＡＭは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などの多数の形態で使用可能である。本明細書に記載されているシステム及び方法におけるメモリは、これら及び任意の他の適切な形態のメモリを含むが、これらに限定されないことに留意されたい。
【０１７１】
上記メモリは例示的なものであるが、限定的なものではないことが理解されるべきである。例えば、本願の実施例におけるメモリは、スタティックランダムアクセスメモリ（Ｓｔａｔｉｃ  ＲＡＭ：ＳＲＡＭ）、ダイナミックランダムアクセスメモリ（Ｄｙｎａｍｉｃ  ＲＡＭ：ＤＲＡＭ）、同期ダイナミックランダムアクセスメモリ（Ｓｙｎｃｈｒｏｎｏｕｓ  ＤＲＡＭ：ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ：ＤＤＲ  ＳＤＲＡＭ）、エンハンスト同期ダイナミックランダムアクセスメモリ（Ｅｎｈａｎｃｅｄ  ＳＤＲＡＭ：ＥＳＤＲＡＭ）、同期リンクダイナミックランダムアクセスメモリ（Ｓｙｎｃｈｌｉｎｋ  ＤＲＡＭ：ＳＬＤＲＡＭ）及びダイレクトラムバスランダムアクセスメモリ（Ｄｉｒｅｃｔ  Ｒａｍｂｕｓ  ＲＡＭ：ＤＲ  ＲＡＭ）などであってもよい。つまり、本願の実施例におけるメモリは、これら及び如何なる他の適切なタイプのメモリを含むが、これらに限定されない。
【０１７２】
本願の実施例は、コンピュータプログラムを記憶するためのコンピュータ可読記憶媒体を更に提供する。
【０１７３】
任意選択的に、該コンピュータ可読記憶媒体は、本願の実施例におけるネットワーク装置に適用可能である。また、該コンピュータプログラムは、コンピュータに、本願の実施例の各方法におけるネットワーク装置により実現されるプロセスを実行させる。簡潔化のために、ここで詳細な説明を省略する。
【０１７４】
任意選択的に、該コンピュータ可読記憶媒体は、本願の実施における携帯端末／端末に適用可能である。また、該コンピュータプログラムは、コンピュータに、本願の実施例の各方法における携帯端末／端末により実現されるプロセスを実行させる。簡潔化のために、ここで詳細な説明を省略する。
【０１７５】
本願の実施例は、コンピュータプログラム命令を含むコンピュータプログラム製品を更に提供する。
【０１７６】
任意選択的に、該コンピュータプログラム製品は、本願の実施におけるネットワーク装置に適用可能である。また、該コンピュータプログラム命令は、コンピュータに、本願の実施例の各方法におけるネットワーク装置により実現されるプロセスを実行させる。簡潔化のために、ここで詳細な説明を省略する。
【０１７７】
任意選択的に、該コンピュータプログラム製品は、本願の実施における携帯端末／端末に適用可能である。また、該コンピュータプログラム命令は、コンピュータに、本願の実施例の各方法における携帯端末／端末により実現されるプロセスを実行させる。簡潔化のために、ここで詳細な説明を省略する。
【０１７８】
本願の実施例は、コンピュータプログラムを更に提供する。
【０１７９】
任意選択的に、該コンピュータプログラムは、本願の実施におけるネットワーク装置に適用可能である。また、該コンピュータプログラムがコンピュータで実行される時、コンピュータに、本願の実施例の各方法におけるネットワーク装置により実現されるプロセスを実行させる。簡潔化のために、ここで詳細な説明を省略する。
【０１８０】
任意選択的に、該コンピュータプログラムは、本願の実施における携帯端末／端末に適用可能である。また、該コンピュータプログラムがコンピュータで実行される時、コンピュータに、本願の実施例の各方法における携帯端末／端末により実現されるプロセスを実行させる。簡潔化のために、ここで詳細な説明を省略する。
【０１８１】
当業者であれば、本明細書に開示されている実施例に関係して記載された種々の例示的なユニット及びアルゴリズムステップは、電子ハードウェア、又はコンピュータソフトウェアと電子ハードウェアとの組み合わせとして実現されることが理解され得る。ハードウェアとソフトウェアとのどちらで、これらの機能を実行するかは、技術的解決手段の特定の応用及び設計上の制限条件により決められる。当業者は、特定の用途毎に記載の機能を実現するために異なる方法を使用してもよいが、この実現が本発明の範囲を超えるものとして考えられるべきではない。
【０１８２】
説明上の便宜及び簡素化を図るために、上記説明されたシステム、装置及びユニットの具体的な作動過程は、前記方法の実施例における対応した過程を参照することができるから、ここで詳しく説明しないようにすることは、当業者にはっきり理解されるべきである。
【０１８３】
本願で提供する幾つかの実施例で開示したシステム、装置及び方法は、他の方式によって実現できることを理解すべきである。例えば、以上に記載した装置の実施例はただ例示的なもので、例えば、前記ユニットの分割はただロジック機能の分割で、実際に実現する時は他の分割方式によってもよい。例えば、複数のユニット又は組立体を組み合わせてもよいし、別のシステムに組み込んでもよい。又は若干の特徴を無視してもよいし、実行しなくてもよい。また、示したか或いは検討した相互間の結合又は直接的な結合又は通信接続は、幾つかのインタフェース、装置又はユニットによる間接的な結合又は通信接続であってもよく、電気的、機械的または他の形態であってもよい。
【０１８４】
分離部材として説明した該ユニットは、物理的に別個のものであってもよいし、そうでなくてもよい。ユニットとして示された部材は、物理的ユニットであってもよいし、そうでなくてもよい。即ち、同一の位置に位置してもよいし、複数のネットワークに分布してもよい。実際の需要に応じてそのうちの一部又は全てのユニットにより本実施例の方策の目的を実現することができる。
【０１８５】
また、本願の各実施例における各機能ユニットは一つの処理ユニットに集積されてもよいし、各ユニットが物理的に別個のものとして存在してもよいし、２つ以上のユニットが一つのユニットに集積されてもよい。
【０１８６】
前記機能はソフトウェア機能ユニットの形で実現され、かつ独立した製品として販売または使用されるとき、コンピュータにより読み取り可能な記憶媒体内に記憶されてもよい。このような理解のもと、本発明の技術的解決手段は、本質的に、又は、従来技術に対して貢献をもたらした部分又は該技術的解決手段の一部は、ソフトウェア製品の形式で具現することができ、このようなコンピュータソフトウェア製品は、記憶媒体に記憶しても良く、また、コンピュータ設備（パソコン、サーバ、又はネットワーク装置など）に、本発明の各実施例に記載の方法の全部又は一部のステップを実行させるための若干の命令を含む。前記の記憶媒体は、ＵＳＢメモリ、リムーバブルハードディスク、読み出し専用メモリ（Ｒｅａｄ−ｏｎｌｙ  Ｍｅｍｏｒｙ：ＲＯＭ）、ランダムアクセスメモリ（Ｒａｎｄｏｍ  Ａｃｃｅｓｓ  Ｍｅｍｏｒｙ：ＲＡＭ）、磁気ディスク、又は光ディスクなど、プログラムコードを記憶可能な各種の媒体を含む。
【０１８７】
以上は本願の具体的な実施形態に過ぎず、本願の保護の範囲はそれらに制限されるものではなく、当業者が本発明に開示された技術範囲内で容易に想到しうる変更や置換はいずれも、本発明の保護範囲内に含まれるべきである。従って、本発明の保護範囲は特許請求の範囲の保護範囲を基準とするべきである。
【図１】
2022502883.tif 000004
【図２】
2022502883.tif 000005
【図３】
2022502883.tif 000006
【図４（ａ）】
2022502883.tif 000007
【図４（ｂ）】
2022502883.tif 000008
【図４（ｃ）】
2022502883.tif 000009
【図５（ａ）】
2022502883.tif 000010
【図５（ｂ）】
2022502883.tif 000011
【図６】
2022502883.tif 000012
【図７】
2022502883.tif 000013
【図８】
2022502883.tif 000014
【図９】
2022502883.tif 000015
【図１０】
2022502883.tif 000016
【手続補正書】
【提出日】令和3年7月20日(2021.7.20)
【手続補正１】
【補正対象書類名】特許請求の範囲
【補正対象項目名】全文
【補正方法】変更
【補正の内容】
【特許請求の範囲】
【請求項１】
信号伝送方法であって、
端末が、第２信号を受信することであって、前記第２信号は、第１伝送リソースを指示するためのものであり、前記第１伝送リソースは、時間領域リソース、周波数領域リソース、符号領域リソースのうちの少なくとも１つを含む、ことと、
前記端末が、前記第１伝送リソースで第１信号を受信することであって、前記第１信号は、上り伝送の停止を指示するためのものである、ことと、を含む、信号伝送方法。
【請求項２】
前記第１伝送リソースは、時間領域で周期特性を有することを特徴とする
請求項１に記載の方法。
【請求項３】
前記第２信号は、上位層シグナリング、物理層シグナリング、媒体アクセス制御（ＭＡＣ）シグナリングのうちの少なくとも１つを含むことを特徴とする
請求項１又は２に記載の方法。
【請求項４】
前記方法は、
前記端末が、前記第１伝送リソースで前記第１信号を受信する前に、第４信号を受信することをさらに含み、前記第４信号は、前記第１信号の時間領域リソースと上り伝送停止対象である時間領域リソースとの時間的関係を指示するためのものであることを特徴とする
請求項１から３のいずれか一項に記載の方法。
【請求項５】
前記第４信号は、上位層シグナリング、物理層シグナリング、ＭＡＣシグナリングのうちの少なくとも１つを含むことを特徴とする
請求項４に記載の方法。
【請求項６】
前記方法は、
前記端末が、前記第１伝送リソースで前記第１信号を受信する前に、第５信号を受信することをさらに含み、前記第５信号は、上り伝送停止対象である時間周波数リソース、又は上り伝送停止対象である時間周波数リソース集合を指示するためのものであることを特徴とする
請求項１から５のいずれか一項に記載の方法。
【請求項７】
前記第５信号は、上位層シグナリング、物理層シグナリング、ＭＡＣシグナリングのうちの少なくとも１つを含むことを特徴とする
請求項６に記載の方法。
【請求項８】
上り伝送停止対象である時間周波数リソースは、
特定のシンボルのシステム帯域幅全体、特定のシンボルの帯域幅パート（ＢＷＰ）全体、特定のシンボルを開始点としたシステム帯域幅全体、特定のシンボルを開始点としたＢＷＰ全体、特定のシンボルの部分のシステム帯域幅、特定のシンボルの部分のＢＷＰ、特定のシンボルを開始点とした部分のシステム帯域幅、特定のシンボルを開始点とした部分のＢＷＰのうちの１つであることを特徴とする
請求項４から７のいずれか一項に記載の方法。
【請求項９】
信号伝送方法であって、
基地局が、第２信号を送信することであって、前記第２信号は、第１伝送リソースを指示するためのものであり、前記第１伝送リソースは、時間領域リソース、周波数領域リソース、符号領域リソースのうちの少なくとも１つを含む、ことと、
前記基地局が、前記第１伝送リソースで第１信号を送信することであって、前記第１信号は、上り伝送の停止を端末に指示するためのものである、こととを含む、信号伝送方法。
【請求項１０】
前記第１伝送リソースは、時間領域で周期特性を有することを特徴とする
請求項９に記載の方法。
【請求項１１】
前記第２信号は、上位層シグナリング、物理層シグナリング、ＭＡＣシグナリングのうちの少なくとも１つを含むことを特徴とする
請求項９から１０のいずれか一項に記載の方法。
【請求項１２】
前記方法は、
前記基地局が、前記第１伝送リソースで前記第１信号を送信する前に、第４信号を送信することをさらに含み、前記第４信号は、前記第１信号の時間領域リソースと上り伝送停止対象である時間領域リソースとの時間的関係を指示するためのものであることを特徴とする
請求項９から１１のいずれか一項に記載の方法。
【請求項１３】
前記第４信号は、上位層シグナリング、物理層シグナリング、ＭＡＣシグナリングのうちの少なくとも１つを含むことを特徴とする
請求項１２に記載の方法。
【請求項１４】
信号伝送装置であって、
請求項１から８のいずれか一項に記載の信号伝送方法を実行するように構成される、
信号伝送装置。
【請求項１５】
信号伝送装置であって、
請求項９から１３のいずれか一項に記載の信号伝送方法を実行するように構成される、
信号伝送装置。
【国際調査報告】
2022502883.tif 000017
2022502883.tif 000018
2022502883.tif 000019
2022502883.tif 000020